(57)【要約】【課題】  複数の利用者により店舗の割引サービスを受けることができるとともに、実際に店舗を利用した正当な利用者だけが割引サービスを受けることのできる駐車料金割引システムを提供する。【解決手段】  駐車場の利用者に対してＩＤカードにより入場処理を行うとともに、ＩＤカードのカード情報と割引カードの関連付け処理を行う入場装置４と、ＩＤカードに基づいて駐車料金の精算処理を行うとともに、ＩＤカードと関連付けられた割引カードに基づいて割引処理を行う料金精算機１２と、を備えている。【選択図】      図２
2013156701.tif 000002
【特許請求の範囲】
【請求項１】
駐車場の利用者に対して駐車カードにより入場処理を行うとともに、前記駐車カードの駐車情報と割引カードの関連付け処理を行う入場装置と、
前記駐車カードに基づいて駐車料金の精算処理を行うとともに、前記駐車カードと関連付けられた前記割引カードに基づいて割引処理を行う出場装置と、
を備えていることを特徴とする駐車料金割引システム。
【請求項２】
前記駐車カードは、利用者の所有する駐車用ＩＤカードであり、
前記入場装置は、前記駐車用ＩＤカードのＩＤ情報を読み取るカード読み取り部を備え、前記入場装置は、前記カード読み取り部により読み取られたＩＤ情報と関連付けた割引カードの関連付け処理を行うことを特徴とする請求項１に記載の駐車料金割引システム。
【請求項３】
前記駐車カードは、前記入場装置が発行する磁気カードであり、
前記入場装置は、前記磁気カードを発行するカード発行部を備え、前記入場装置は、前記磁気カードの駐車情報と関連付けた割引カードの関連付け処理を行うことを特徴とする請求項１に記載の駐車料金割引システム。
【請求項４】
前記割引カードは、利用者の所有する割引用ＩＤカードであり、
前記入場装置は、前記駐車カードのカード情報と前記割引用ＩＤカードのＩＤ情報との関連付け処理を行うことを特徴とする請求項１から請求項３のいずれか一項に記載の駐車料金割引システム。
【請求項５】
前記割引カードは、前記入場装置が発行する磁気割引カードであり、
前記入場装置は、前記駐車カードのカード情報と前記磁気割引カードのカード情報との関連付け処理を行うことを特徴とする請求項１から請求項３のいずれか一項に記載の駐車料金割引システム。
【請求項６】
前記駐車用ＩＤカードまたは前記割引用ＩＤカードのＩＤ情報を格納するデータベースをさらに備え、
前記出場装置は、前記駐車用ＩＤカードまたは前記割引用ＩＤカードのＩＤ情報を読み取るカード読み取り部を備え、前記出場装置は、前記データベースに格納されたＩＤ情報と、前記カード読み取り部により読み取られたＩＤ情報とが一致している場合に出場処理を行うことを特徴とする請求項１、請求項２または請求項４のいずれか一項に記載の駐車料金割引システム。
【請求項７】
前記入場装置は、前記駐車カードと複数の前記割引カードとの関連付け処理を行い、前記出場装置は、前記駐車カードと関連付けられた前記複数の割引カードに基づいて割引処理を行うことを特徴とする請求項１から請求項６のいずれか一項に記載の駐車料金割引システム。
【発明の詳細な説明】
【技術分野】
【０００１】
本発明は駐車料金割引システムに係り、特に、複数の利用者により店舗の割引サービスを受けることができるとともに、不正な割引サービスを確実に防止することを可能とした駐車料金割引システムに関するものである。
【背景技術】
【０００２】
一般に、時間貸しの駐車場においては、駐車場利用者に対して駐車券を発行するようにしており、この駐車券としては、従来、一面に磁気記録面を有し、この磁気記録面に所定の情報を記録するようにしてなる磁気式の駐車券がある。この磁気式の駐車券は、簡単に複製しにくく、変形などに対してある程度の耐性があり、駐車場の提携店舗による駐車料金の割引処理などの追記が可能であるといった理由から従来から多く用いられている。
【０００３】
そして、従来から、利用者が駐車場と提携する店舗で買い物などを行った場合に、駐車料金の割引を行う割引サービスが行われている。このような駐車料金の割引を行う技術として、従来、例えば、駐車料金の割引処理を行う場合に、駐車場に駐車した利用者が店舗により、磁気化レシートを発行し、この磁気化レシートの記録に基づいて駐車場からの出場管理を行うようにした技術が開示されている（例えば、特許文献１参照）。
【０００４】
また、従来のその他の技術として、例えば、駐車場の入出場に免許証を用い、入場機によりホストコンピュータに免許証データを送信するとともに、レジスタによりホストコンピュータに免許証データおよび金額データの送信がなされ、ホストコンピュータにより、免許証データおよび金額データを保持するとともに、免許証データ、金額データおよび駐車場利用時間に基いて駐車料金を算出し、出場機に送信して出場処理を行うようにした技術が開示されている（例えば、特許文献２参照）。
【先行技術文献】
【特許文献】
【０００５】
【特許文献１】特開平１０−１９８８２９号公報
【特許文献２】特開平０９−２７４６７３号公報
【発明の概要】
【発明が解決しようとする課題】
【０００６】
しかしながら、前記特許文献１に記載の発明においては、磁気化レシートを用いて駐車料金の割引サービスを行うものであるが、駐車券と磁気化レシートとを関係付けるものではないことから、例えば、拾った割引カードなどにより、実際には店舗を利用しておらず割引サービスを受ける資格のない者でも、不正な割引サービスを受けることができてしまうという問題を有している。
【０００７】
また、前記特許文献２に記載の発明においては、割引サービスを受けるために免許証を用いているため、不正な割引サービスを防止することは可能であるが、駐車料金割引のために、各店舗に免許証の読取りおよびホストコンピュータへの通信を行う装置を設け、駐車場機器、ホストコンピュータおよび各店舗の機器を通信接続する必要があり、設備が大規模で高価なものとなってしまうという問題を有している。
【０００８】
しかも、利用者が複数の利用者が店舗による割引サービスを受けようとした場合、免許証を所持している利用者のみが店舗による割引サービスを受けることができ、他の利用者は、店舗による割引サービスを利用することができないという問題を有している。
【０００９】
本発明は前記した点に鑑みてなされたものであり、複数の利用者により店舗の割引サービスを受けることができるとともに、実際に店舗を利用した正当な利用者だけが割引サービスを受けることのできる駐車料金割引システムを提供することを目的とするものである。
【課題を解決するための手段】
【００１０】
本発明は前記目的を達成するために、請求項１の発明に係る駐車料金割引システムは、駐車場の利用者に対して駐車カードにより入場処理を行うとともに、前記駐車カードの駐車情報と割引カードの関連付け処理を行う入場装置と、
前記駐車カードに基づいて駐車料金の精算処理を行うとともに、前記駐車カードと関連付けられた前記割引カードに基づいて割引処理を行う出場装置と、
を備えていることを特徴とする。
【００１１】
請求項２に係る発明は、請求項１において、前記駐車カードは、利用者の所有する駐車用ＩＤカードであり、前記入場装置は、前記駐車用ＩＤカードのＩＤ情報を読み取るカード読み取り部を備え、前記入場装置は、前記カード読み取り部により読み取られたＩＤ情報と関連付けた割引カードの関連付け処理を行うことを特徴とする。
【００１２】
請求項３に係る発明は、請求項１において、前記駐車カードは、前記入場装置が発行する磁気カードであり、前記入場装置は、前記磁気カードを発行するカード発行部を備え、前記入場装置は、前記磁気カードの駐車情報と関連付けた割引カードの関連付け処理を行うことを特徴とする。
【００１３】
請求項４に係る発明は、請求項１から請求項３のいずれか一項において、前記割引カードは、利用者の所有する割引用ＩＤカードであり、前記入場装置は、前記駐車カードのカード情報と前記割引用ＩＤカードのＩＤ情報との関連付け処理を行うことを特徴とする。
【００１４】
請求項５に係る発明は、請求項１から請求項３のいずれか一項において、前記割引カードは、前記入場装置が発行する磁気割引カードであり、前記入場装置は、前記駐車カードのカード情報と前記磁気割引カードのカード情報との関連付け処理を行うことを特徴とする。
【００１５】
請求項６に係る発明は、請求項１、請求項２または請求項４のいずれか一項において、前記駐車用ＩＤカードまたは前記割引用ＩＤカードのＩＤ情報を格納するデータベースをさらに備え、前記出場装置は、前記駐車用ＩＤカードまたは前記割引用ＩＤカードのＩＤ情報を読み取るカード読み取り部を備え、前記出場装置は、前記データベースに格納されたＩＤ情報と、前記カード読み取り部により読み取られたＩＤ情報とが一致している場合に出場処理を行うことを特徴とする。
【００１６】
請求項７に係る発明は、請求項１から請求項６のいずれか一項において、前記入場装置は、前記駐車カードと複数の前記割引カードとの関連付け処理を行い、前記出場装置は、前記駐車カードと関連付けられた前記複数の割引カードに基づいて割引処理を行うことを特徴とする。
【発明の効果】
【００１７】
請求項１に係る発明によれば、入場装置により、駐車カードのカード情報と割引カードとの関連付けを行い、出場装置により、駐車カードに基づいて駐車料金の精算処理を行うとともに、駐車カードと関連付けられた割引カードに基づいて割引処理を行うようにしているので、駐車カードのカード情報と関連付けられた割引カードのみにより割引サービスを受けることができ、実際に店舗を利用しない不正な割引サービスを確実に防止することができる。
【００１８】
請求項２に係る発明によれば、駐車カードを利用者の所有する駐車用ＩＤカードとし、入場装置のカード読み取り部により読み取られた駐車用ＩＤカードのＩＤ情報と関連付けた割引カードの関連付け処理を行うようにしているので、駐車用ＩＤカードのＩＤ情報と関連付けられた割引カードのみにより割引サービスを受けることができ、実際に店舗を利用しない不正な割引サービスを確実に防止することができる。
【００１９】
請求項３に係る発明によれば、駐車カードを入場装置のカード発行部が発行する磁気カードとし、入場装置により、磁気カードの駐車情報と関連付けた割引カードの関連付け処理を行うようにしているので、磁気駐車カードのカード情報と関連付けられた割引カードのみにより割引サービスを受けることができ、実際に店舗を利用しない不正な割引サービスを確実に防止することができる。
【００２０】
請求項４に係る発明によれば、割引カードを利用者の所有する割引用ＩＤカードとし、入場装置により、駐車カードの駐車情報と割引用ＩＤカードのＩＤ情報との関連付け処理を行うようにしているので、磁気駐車カードのカード情報と関連付けられたＩＤ割引カードのみにより割引サービスを受けることができ、実際に店舗を利用しない不正な割引サービスを確実に防止することができる。
【００２１】
請求項５に係る発明によれば、割引カードを入場装置が発行する磁気割引カードとし、入場装置により、駐車カードの駐車情報と磁気割引カードのカード情報との関連付け処理を行うようにしているので、駐車カードのカード情報と関連付けられた磁気割引カードのみにより割引サービスを受けることができ、実際に店舗を利用しない不正な割引サービスを確実に防止することができる。
【００２２】
請求項６に係る発明によれば、駐車用ＩＤカードまたは割引用ＩＤカードのＩＤ情報を格納するデータベースを設け、出場装置により、データベースに格納されたＩＤ情報と、カード読み取り部により読み取られたＩＤ情報とが一致している場合に出場処理を行うようにしているので、駐車カードまたは割引カードのカード情報に基づいて適正な出場処理を行うことができる。
【００２３】
請求項７に係る発明によれば、入場装置により、駐車カードと複数の割引カードとの関連付け処理を行い、出場装置により、駐車カードと関連付けられた複数の割引カードに基づいて割引処理を行うようにしているので、複数の利用者により店舗の割引サービスを受けることができる。
【図面の簡単な説明】
【００２４】
【図１】本発明に係る駐車料金割引システムの実施形態を示す概略構成図である。
【図２】本発明に係る駐車料金割引システムの実施形態を示すブロック図である。
【図３】本発明に係る駐車料金割引システムの実施形態における入場処理の動作を示すフローチャートである。
【図４】本発明に係る駐車料金割引システムの実施形態における精算処理の動作を示すフローチャートである。
【発明を実施するための形態】
【００２５】
以下、本発明の実施の形態について図面を参照しながら説明する。
【００２６】
図１および図２は本発明に係る駐車料金割引システムの第１実施形態を示す概略図である。本実施形態においては、駐車料金割引システム１を入場用カーゲート２および出場用カーゲート３を備えた駐車場に適用した場合の例を示している。
【００２７】
図１および図２に示すように、本実施形態の駐車料金割引システム１は、駐車場の入場用カーゲート２付近に設置された入場装置４を備えており、入場装置４は、入場側車両検知器５により駐車場の入口に車両が接近したことを検出した場合に動作を行う入場制御部６を備えている。入場装置４には、駐車カードとしての利用者のＩＤカードを読み取る入場用ＩＤカード読み取り部７が設けられており、このＩＤカードとしては、Ｆｅｌｉｃａカードなどの非接触式カード、クレジットカードなどの磁気記録式カードあるいは運転免許証などが適用可能である。ＩＤカードとして非接触式のカードを用いる場合には、精算用ＩＤカード読み取り部として非接触式のカードリーダが用いられるものであり、ＩＤカード情報としては、例えば、ＩＤカードの製造番号などが用いられる。また、ＩＤカードとしてクレジットカードを用いる場合は、挿入式の磁気カードリーダが用いられるものであり、ＩＤカード情報としては、例えば、クレジットカードのカード番号などが用いられる。さらに、ＩＤカードとして運転免許証などを用いる場合は、カメラあるいはラインスキャナなどによるカードリーダを用い、読み取った画像から文字認識することによりＩＤカード情報を取得するものであり、ＩＤカード情報としては、例えば、運転免許証番号などが用いられる。
【００２８】
また、入場装置４には、磁気カードを発行する磁気カード発行部８が設けられており、磁気カード発行部８は、入場用ＩＤカード読み取り部７により読み取られたＩＤカード情報が書き込まれて関連づけられた磁気カードからなる割引カードを発行するように構成されている。また、入場装置４には、発券ボタン９が設置されており、駐車場の利用者が発券ボタン９を操作することにより、利用者の要望に応じて割引カードを複数枚発行することができるようになっている。
【００２９】
また、入場装置４には、データベース１０と通信を行うための入場側通信部１１が設けられており、入場制御部６は、入場側通信部１１を介して入場用ＩＤカード読み取り部７により読み取られたＩＤカードのＩＤカード情報をデータベース１０に送り、データベース１０にＩＤカード情報および入場時刻を登録するように構成されている。
【００３０】
また、本実施形態の駐車料金割引システムは、駐車場の出場用カーゲート３付近に設置された出場装置としての料金精算機１２を備えており、料金精算機１２は、出場側車両検知器１３により車両が駐車場の出口に接近したことを検出した際に動作を行う精算制御部１４を備えている。
【００３１】
料金精算機１２には、利用者のＩＤカード７のＩＤカード情報を読み取るカード読み取り部としての精算用ＩＤカード読み取り部１５が設けられており、料金精算機１２には、磁気カードからなる割引カードを読み取って割引カードの割引情報を読み取る磁気カード読み取り部１６が設けられている。料金精算機１２には、データベース１０と通信を行うための精算側通信部１７が設けられており、精算制御部１４は、精算側通信部１７を介して、精算用ＩＤカード読み取り部１５により読み取られたＩＤカードのＩＤカード情報とデータベース１０に登録されているＩＤカード情報とを照合して、ＩＤカード情報に基づく入場時刻と精算時刻とに基づいて駐車料金を計算するように構成されている。また、精算制御部１４は、割引カードに記録されているＩＤカード情報が、精算用ＩＤカード読み取り部１５により読み取られたＩＤカードのＩＤカード情報と一致するか否か判断し、ＩＤカード情報と一致し、割引カードに割引情報が記録されている場合には、駐車料金の割引処理を行うように構成されている。
【００３２】
また、本実施形態においては、駐車場と提携している店舗には、磁気書き込み装置１８が設置されており、磁気書き込み装置１８には、店舗制御部１９が設けられている。また、磁気書き込み装置１８には、所定の情報を入力するための入力部２０が設けられており、磁気書き込み装置１８には、駐車場の利用者が店舗で買い物などをした場合に、割引カードに割引処理を行う磁気処理部２１が設けられている。
【００３３】
次に、本実施形態の作用について説明する。
【００３４】
まず、駐車場の入場処理について、図３に示すフローチャートを参照して説明する。
【００３５】
まず、入場処理は、駐車場の入口に車両が接近したことを入場側車両検知器５が検出したら（ＳＴ１）、入場制御部６を動作させて入場用ＩＤカード読み取り部７により利用者のＩＤカードの読み取りを行う（ＳＴ２）。そして、入場用ＩＤカード読み取り部７により読み取ったＩＤカードのＩＤカード情報と入場時刻とをデータベース１０に登録する（ＳＴ３）。車両が入場しない状態で（ＳＴ４：ＮＯ）、駐車場の利用者により発券ボタン９が操作された場合には（ＳＴ５）、磁気カード発行部８によりＩＤカードのＩＤカード情報と関連付けた割引カードを発行する（ＳＴ６）。そして、利用者の人数などに応じて、割引カードを複数枚発行する場合には、発券ボタン９を複数回操作することにより、ＩＤカードのＩＤカード情報と関連付けた複数枚の割引カードを発行する。
【００３６】
この場合に、利用者の人数などに応じて、割引カードを複数枚発行することができるので、複数の利用者により、駐車場と提携する店舗で買い物などによる割引サービスを受けることができる。そして、駐車場の利用者が駐車場と提携する店舗で買い物などをした場合には、店舗の磁気書き込み装置１８により、利用者の所持する割引カードに所定の割引処理を行うものである。
【００３７】
次に、料金精算機１２による精算処理について図４に示すフローチャートを参照して説明する。
【００３８】
駐車場の出口に車両が接近したことを出場側車両検知器１３が検出したら（ＳＴ１０）、精算制御部１４を動作させて精算用ＩＤカード読み取り部１５により利用者のＩＤカードの読み取りを行う（ＳＴ１１）。その後、精算制御部１４により読み取ったＩＤカードのＩＤカード情報とデータベース１０に記憶されているＩＤカード情報とを照合し（ＳＴ１２）、ＩＤカード情報に基づく入場時刻と精算時刻とに基づいて駐車料金を計算する（ＳＴ１３）。そして、利用者が駐車料金を支払った場合には（ＳＴ１４：ＹＥＳ）、精算は完了する。
【００３９】
一方、駐車料金を支払わない場合は（ＳＴ１４：ＮＯ）、磁気カード読み取り部１６により割引カードの読み取りを行う（ＳＴ１５）。そして、読み取ったカードが割引カードの場合は（ＳＴ１６：ＹＥＳ）、精算制御部１４により、割引カードに記録されているＩＤカード情報が、精算用ＩＤカード読み取り部１５により読み取られたＩＤカードのＩＤカード情報と一致するか否か判断し（ＳＴ１７）、ＩＤカード情報と一致し（ＳＴ１７：ＹＥＳ）、割引カードに割引情報が記録されている場合には、割引カードの割引情報に基づいて駐車料金の割引処理を行い、駐車料金の減額を行う（ＳＴ１８）。なお、割引カードが複数枚挿入された場合には、複数枚の割引情報を合計して割引処理を行い、駐車料金の減額を行う。そして、割引カードに記録されているＩＤカード情報と、精算用ＩＤカード読み取り部１５により読み取られたＩＤカードのＩＤカード情報と一致しない場合には、駐車料金の割引は行わない。
【００４０】
そして、割引後の駐車料金の支払いが完了したら（ＳＴ１９）、出場側カーゲートを開いて車両を出庫させる。
【００４１】
以上述べたように、本実施形態においては、利用者が保有するＩＤカードを駐車カードとして用いるとともに、ＩＤカードのＩＤ情報と関連付けた割引カードを発行するようにしているので、ＩＤカードのＩＤ情報と関連付けられた割引カードのみにより割引サービスを受けることができ、実際に店舗を利用しない不正な割引サービスを確実に防止することができる。また、利用者の要求に応じて複数枚の割引カードを発行することができるようにしているので、複数の利用者により店舗の割引サービスを受けることができる。
【００４２】
なお、前記実施形態においては、駐車カードとしてＩＤカードを用いた場合の例を示しているが、駐車カードとして磁気駐車カードを用いることもできる。この場合には、入場装置４により発券ボタン９を操作することにより、磁気駐車カードを発行するとともに、磁気駐車カードのカード番号などのカード情報と関連付けた割引カードを発行するようにすればよい。そして、料金精算機１２により、磁気駐車カードを読み取り、割引カードを読み取った場合に、割引カードが磁気駐車カードのカード情報と関連付けられている場合にのみ、割引処理を行うようにすればよい。
【００４３】
また、前記実施形態においては、割引カードとして磁気割引カードを用いた場合の例を示しているが、割引カードとして、ＩＤカードを用いることもできる。この場合は、入場用ＩＤカード読み取り部７により、駐車カードを読み取ってＩＤ情報を取得した後、他のＩＤカードを読み取りってＩＤ情報を取得し、これら各ＩＤ情報を関連付けてデータベース１０に登録するようにすればよい。そして、料金精算機１２により、ＩＤカードを読み取り、割引カードを読み取った場合に、割引カードがＩＤカードのカード情報と関連付けられている場合にのみ、割引処理を行うようにすればよい。
【００４４】
さらに、駐車カードとしての磁気カードを用い、割引カードとしてＩＤカードを用いるようにしてもよく、駐車カードと割引カードとは、任意の組み合わせで使用することができるものである。
【００４５】
また、前記実施形態においては、出場装置として料金精算機１２を用いた場合について説明したが、例えば、出場装置として事前精算機を用いるようにしてもよい。
【００４６】
また、本発明は前記実施形態に限定されるものではなく、本発明の趣旨に基づいて種々の変形が可能である。
【符号の説明】
【００４７】
１  駐車料金割引システム
２  入場用カーゲート
３  出場用カーゲート
４  入場装置
５  入場側車両検知器
６  入場制御部
７  入場用ＩＤカード読み取り部
８  磁気カード発行部
９  発券ボタン
１０  データベース
１１  入場側通信部
１２  料金精算機
１３  出場側車両検知器
１４  精算制御部
１５  精算用ＩＤカード読み取り部
１６  磁気カード読み取り部
１７  精算側通信部
１８  磁気書き込み装置
１９  店舗制御部
２０  入力部
２１  磁気処理部
【図１】
2013156701.tif 000003
【図２】
2013156701.tif 000004
【図３】
2013156701.tif 000005
【図４】
2013156701.tif 000006